(57)【特許請求の範囲】
【請求項１】
容器本体(3) の口筒に密に組付き、頂壁(4) に注出筒(5) を立設したキャップ本体(1) と、該キャップ本体(1) に開閉回動自在にヒンジ(6)で結合され、閉状態で前記注出筒(5) 内に密嵌入して該注出筒(5) を密閉する嵌入筒(7) を突設した上蓋(2) とから構成され、粘度が２５ｃｐｓ程度の比較的高い液に使用される注出キャップにおいて、前記注出筒(5) を、前記頂壁(4) から起立する円筒形状の筒片(8) と、該筒片(8) の外周面上端から外方に突周設した鍔片(9) とで構成し、該鍔片(9) の幅(l) を２mm以上とすると共に、前記頂壁(4) 上面から鍔片(9) 下面までの高さ(h) を５mm以上とし、前記注出筒(5) が形成する注出通路の前記頂壁(4) 下面での開口部を囲んで円筒片状の整流筒(10)を垂下設して成る注出キャップ。
【発明の詳細な説明】
【０００１】
【産業上の利用分野】
本発明は、常温雰囲気で２５ｃｐｓ程度の比較的高い粘度を有する内容液の注出に適した注出キャップの構造に関するものである。
【０００２】
【従来の技術】
容器本体の口部に密に組付き、頂壁に注出筒を立設した有頂筒形状のキャップ本体と、このキャップ本体に開閉回動自在に一体にヒンジ結合され、閉状態で注出筒内に密嵌入してこの注出筒を密閉する嵌入筒を突設した上蓋と、から構成される注出キャップにあっては、内容液の液切れを良くする目的で、注出筒を、頂壁上面に立設した円筒状の筒片と、この筒片の外周面上端から外方に突周設した鍔片とから構成している。
【０００３】
この従来の注出キャップにおける注出片は、その鍔片の幅は、一体成形される注出キャップの成形金型からの離型を考慮して、０．６mm程度に設定され、またこの鍔片下面から頂壁上面までの高さは、注出される内容液に対してガイド作用を及ぼすことのできる範囲内で、できる限り小さくして２mm程度に設定されているのが一般的である。
【０００４】
【発明が解決しようとする課題】
しかしながら、上記した従来技術にあっては、注出される内容液の粘度が低い場合には、比較的良好な液切れを得ることができるのであるが、ヘアートリートメントオイル等の常温雰囲気内での粘度が２５ｃｐｓ程度と比較的高い内容液を注出すると、内容液注出後、鍔片の外周縁に残留した内容液の一部が、この鍔片の下側に回り込んで液垂れを発生すると云う問題があった。
【０００５】
そこで、本発明は、上記した従来技術における問題点を解消すべく創案されたもので、常温雰囲気内で２５ｃｐｓ程度の比較的高い粘度を有する内容液であっても、注出筒における液切れを良くすることを技術的課題とし、もって液垂れによる不快感の発生、および汚れの発生を防止することを目的とする。
【０００６】
【課題を解決するための手段】
上記技術的課題を解決する本発明の手段は、
容器本体の口筒に密に組付き、頂壁に注出筒を立設したキャップ本体と、このキャップ本体に開閉回動自在にヒンジで結合され、閉状態でキャップ本体の注出筒内に密嵌入してこの注出筒を密閉する嵌入筒を突設した上蓋とから構成され、粘度が２５ｃｐｓ程度の比較的高い液に使用される注出キャップであること、
キャップ本体の注出筒を、頂壁から起立する円筒形状の筒片と、この筒片の外周面上端から外方に突周設した鍔片とで構成すること、
キャップ本体の注出筒の鍔片の幅を２mm以上とすると共に、頂壁上面から鍔片下面までの高さを５mm以上とすること、
キャップ本体の注出筒が形成する注出通路の頂壁下面での開口部を囲んで、円筒片状の整流筒を垂下設すること、
にある。
【０００７】
【作用】
注出キャップを組付けた内容液を収納した容器本体は、注出キャップの閉状態では、注出キャップのキャップ本体が口筒に密に組付けられていること、およびキャップ本体の注出筒が上蓋の嵌入筒で密閉されていることから、その全体が密閉状態となっている。
【０００８】
この密閉状態から、上蓋をヒンジを軸として回動して嵌入筒をキャップ本体の注出筒から離脱させて、注出筒および容器本体を開放状態とし、容器本体を所望する方向に傾斜させて内容液の注出を行う。
【０００９】
この内容液の注出に際して、内容液は、注出筒が形成する注出通路に流入する前に、整流筒によりその流動状態が略一定形態に整流されるので、注出筒内における注出内容液の流動形態は一定して安定したものとなる。
【００１０】
注出筒内に流入した注出内容液は、注出筒の筒片内面から鍔片上面を通って、鍔片の外周縁から離脱落下して注出が達成されるのであるが、容器本体の傾斜を復帰させての注出動作終了時には、どうしても内容液の持つ表面張力の作用により鍔片の外周縁に内容液が滴状に残留しようとする。
【００１１】
しかしながら、鍔片の上面に位置し、筒片内に流下しようとしている内容液の表面張力が、この鍔片の外周縁に残留しようとしている滴状の内容液に引っ張り力として作用し、かつこの鍔片の上面に位置して、筒片内に流下しようとしている内容液が、鍔片の外周縁に残留しようとする滴状の内容液に作用させる引っ張り力は、鍔片の幅が２mm以上と大きいのできわめて強力となり、このため鍔片の外周縁に残留しようとする滴状の内容液は、鍔片の上面に位置して筒片内に流下する内容液に引き寄せられて一体に筒片内、すなわち容器本体内に流下し、液垂れ状態となることがない。
【００１２】
この内容液の注出動作終了時において、鍔片の外周縁に残留しようとする滴状の内容液は、注出された内容液と分離した瞬間においては、比較的長い状態となり、重力および分離の反動に伴う表面張力の作用により、滴状に丸くなるよりも速く垂下状となるが、鍔片下面と頂壁上面との高さが５mm以上もあるので、この垂下状となった分離直後の鍔片に残留した内容液が頂壁上面に接触することはなく、確実に鍔片の外周縁に滴状に丸まることになる。
【００１３】
また、この内容液の注出動作終了時における、鍔片の外周縁に残留しようとする内容液の動きは、内容液の注出形態が、整流筒の作用により一定形態で安定しているので、常に一定したものとなる。
【００１４】
【実施例】
以下、本発明の一実施例を、図１〜図３を参照しながら説明する。
図１は、本発明の一実施例の開状態を示す全体縦断面図で、容器本体３の口筒に密に外装螺合するキャップ本体１と、このキャップ本体１にミラーヒンジ構造のヒンジ６を介して一体に開閉回動自在に連結された上蓋２とから構成され、全体を合成樹脂で一体成形している。
【００１５】
キャップ本体１は、容器本体３の口筒に外装螺合する有頂円筒形状体の頂壁４の上面やや前寄りに、筒片８と鍔片９とから構成される注出筒５を立設すると共に、この注出筒５が形成する注出通路が開口する頂壁４の下面に、注出通路の開口部を囲んで円筒片状の整流筒１０を垂下設して構成されている。
【００１６】
このキャップ本体１の注出筒５は、その鍔片９の幅ｌを２mmに設定していると共に、その筒片８の高さを、鍔片９下面から頂壁４上面までの高さｈを５mmとする値に設定されており、筒片８の内周面は、上方に拡径したテーパー面となっていて、回動閉鎖時における上蓋２の嵌入筒７の嵌入動作が円滑に達成されるようにしている。
【００１７】
キャップ本体１の整流筒１０は、その内周面を、閉鎖時における上蓋２の嵌入筒７の筒片８に対する密嵌合を保持すべく作用する段部を介して筒片８の内周面に連続させる内径で、５．１mmの高さで設けられている。
【００１８】
上蓋２は、ミラーヒンジ構造のヒンジ６を介してキャップ本体１の後側上端に一体に連結されていて、深皿状の本体部分の頂壁内面のやや前寄りに細円筒片状の嵌入筒７を立設して構成され、この嵌入筒７の高さは、嵌入筒７が注出筒５内に嵌入限まで密嵌入した際に、先端外周面に周設した突条が、筒片８内周面と整流筒１０内周面との間に形成された段部に下方から係止（図３参照）する高さに設定されている。
【００１９】
本実施例の注出キャップを組付けた容器本体３内に、常温雰囲気内での粘度が２５ｃｐｓのヘアートリートメントオイルを収納して、液垂れ発生の有無を実験した結果、液垂れが発生しないことが確認できた。
【００２０】
【発明の効果】
本発明は、上記した構成となっているので、以下に示す効果を奏する。
キャップ本体の注出筒を構成する鍔片の幅を２mm以上に設定したので、鍔片の外周縁に残留しようとする滴状の内容液に対して、鍔片上面および筒片内周面の容器本体内に流下復帰しようとする内容液から表面張力に伴う強力な引っ張り力を作用させることになり、これにより鍔片の外周縁に残留しようとする滴状の内容液を確実に容器本体内に引き込み、鍔片の外周縁に内容液が残留することを皆無とすることができる。
【００２１】
キャップ本体の注出筒の鍔片下面から頂壁上面までの高さを５mm以上に設定したので、粘度が２５ｃｐｓ程度の比較的高い液であっても液切れ時に鍔片外周縁に付着残留した内容液が、垂下姿勢となった状態で下端を頂壁上面に接触させることを確実に防止することができ、これにより液切れ時に発生する液垂れの発生を確実に防止することができる。
【００２２】
注出筒が形成する注出通路の入口部分に整流筒を設けたので、注出される内容液の流動形態は常に一定して安定したものとなり、これにより注出される内容液の脈動とか乱流等の不整流が原因しての液切れ状態の不安定による液垂れの発生を確実に防止することができる。
【００２３】
このように、内容液の良好な液切れを達成できると共に、液垂れおよび鍔片外周縁への内容液の残留を確実に阻止することができるので、液垂れによる容器の汚れの発生とか、不潔感の発生を未然に防止することができ、長期間にわたって容器の良好な使用感を得ることができる。
【図面の簡単な説明】
【図１】本発明の一実施例を示す、開状態の全体縦断面図。
【図２】図１に示した実施例の全体平面図。
【図３】図１に示した実施例の、要部拡大縦断面図。
【符号の説明】
１  ；  キャップ本体
２  ；  上蓋
３  ；  容器本体
４  ；  頂壁
５  ；  注出筒
６  ；  ヒンジ
７  ；  嵌入筒
８  ；  筒片
９  ；  鍔片
１０；  整流筒
ｌ  ；  幅
ｈ  ；  高さ
【図１】
0003859087.tif 000002
【図２】
0003859087.tif 000003
【図３】
0003859087.tif 000004